(57)【要約】【課題】各ポートの監視周期を短縮することである。【解決手段】光伝送装置１００は、ＷＳＳ１１７ａとＣＰＵ１１１とＶＯＡ１１６とカプラ１１５ｂと４ポートＯＣＭ１１４とＶＯＡ制御部１１２とを有する。ＷＳＳ１１７ａは、入力光の内少なくとも１つが、カプラ１１５ａにより複数の第１信号光に分波されると共に、他の入力光が、複数の第２信号光に分波される。ＣＰＵ１１１は、各第１信号光の一部と各第２信号光の一部とを抽出する。ＶＯＡ１１６は、抽出された複数の抽出光に対して、通過或いは遮断の切り替えを行う。カプラ１１５ｂは、ＶＯＡ１１６からの各通過光を合波し、各通過光が合波された合波信号を出力する。４ポートＯＣＭ１１４は、合波信号により、各光信号の強度を測定する。ＶＯＡ制御部１１２は、波長配置情報に基づいて、波長が重なる複数の光信号が含まれない入力光の組合せを求めると共に、組合せに応じて、ＶＯＡ１１６を制御する。【選択図】図４
2015050664.tif 000002
【特許請求の範囲】
【請求項１】
外部から、複数の入力光と前記入力光にそれぞれ含まれる光信号の波長配置情報とを受信する受信部と、
前記入力光の内少なくとも１つが、光カプラにより複数の第１信号光に分波されると共に、他の前記入力光が、それぞれ複数の第２信号光に分波される分波部と、
前記各第１信号光の一部と前記各第２信号光の一部とをそれぞれ抽出する抽出部と、
前記抽出部により抽出された複数の抽出光に対して、それぞれ通過或いは遮断の切り替えを行う複数のスイッチと、
前記複数のスイッチからの各通過光を合波し、前記各通過光が合波された合波信号を出力する合波部と、
前記合波信号により、各光信号の強度を測定する監視部と、
前記波長配置情報に基づいて、波長が重なる複数の前記光信号が含まれない前記入力光の組合せを求めると共に、前記組合せに応じて、前記複数のスイッチを制御する制御部と
を有することを特徴とする光伝送装置。
【請求項２】
前記波長配置情報は、前記分波部の有する各ポートに対し、前記光信号の波長の内、何れの波長が配置されているかを前記ポート毎に示す情報であることを特徴とする請求項１に記載の光伝送装置。
【請求項３】
前記複数のスイッチは、前記合波部による合波の対象となる光信号を出力するポートの組合せを、周期的に切り替える制御を行うことを特徴とする請求項１に記載の光伝送装置。
【請求項４】
外部から波長多重された第１の入力光と、前記第１の入力光に含まれる光信号の波長配置情報とを受信し、受信した前記第１の入力光を波長毎に分波すると共に、分波された複数の第１信号光を出力する、１又は複数の第１のポートと、
外部から波長多重された第２の入力光と、前記第２の入力光に含まれる光信号の波長配置情報とを受信し、受信した前記第２の入力光を光カプラにより分波すると共に、分波された複数の第２信号光を出力する、１又は複数の第２のポートと、
１又は複数の前記第１信号光と１又は複数の前記第２信号光とを受信し、前記第１信号光及び前記第２信号光に含まれる光信号のうち、全部或いは一部の光信号を外部へ送信する第３のポートとを有し、
前記第３のポートは、
前記第１信号光の一部が抽出された第１抽出光が入力され、前記第１抽出光に対して通過或いは遮断を切り換える１又は複数の第１スイッチと、
前記第２信号光の一部が抽出された第２抽出光が入力され、前記第２抽出光に対して通過或いは遮断を切り換える１又は複数の第２スイッチと、
前記第１スイッチから出力された１又は複数の第１通過光と、前記第２スイッチから出力された１又は複数の第２通過光とを合波し、合波された合波信号を出力する合波部と、
前記合波信号により、各光信号の強度を測定する監視部と、
複数の前記波長配置情報に基づいて、前記第１信号光及び前記第２信号光の全組合せのうち、波長が重なる複数の前記光信号が含まれる組合せを除いた非多重組合せを求めると共に、前記非多重組合せに応じて、前記第１スイッチ及び前記第２スイッチを制御する制御部と
を有することを特徴とする光伝送装置。
【請求項５】
光伝送装置が、
外部から、複数の入力光と前記入力光にそれぞれ含まれる光信号の波長配置情報とを受信し、
前記入力光の内少なくとも１つが、光カプラにより複数の第１信号光に分波されると共に、他の前記入力光が、それぞれ複数の第２信号光に分波され、
前記各第１信号光の一部と前記各第２信号光の一部とをそれぞれ抽出し、
抽出された複数の抽出光に対して、それぞれ通過或いは遮断の切り替えを行い、
複数のスイッチからの各通過光を合波し、前記各通過光が合波された合波信号を出力し、
前記合波信号により、各光信号の強度を測定し、
前記波長配置情報に基づいて、波長が重なる複数の前記光信号が含まれない前記入力光の組合せを求めると共に、前記組合せに応じて、前記複数のスイッチを制御する
ことを特徴とする光伝送方法。
【発明の詳細な説明】
【技術分野】
【０００１】
本発明は、光伝送装置、及び光伝送方法に関する。
【背景技術】
【０００２】
従来、複数のＯＸＣ（Optical  Cross  Connect）間で、ＷＤＭ（Wavelength  Division  Multiplexing）方式により光信号を送受信する光伝送システムが利用されている。ＷＤＭの光伝送システムでは、各方路からの光信号は、ＯＸＣの光スイッチにおいてクロスコネクトされる。ＷＤＭの光伝送システムの構成として代表的なものに、ＢＳ（Broadcast  and  Selector）タイプとＲＳ（Route  and  Selector）タイプとがある。ＢＳタイプでは、光伝送装置は、光カプラでの合波ができないため、ＯＣＭ（Optical  Channel  Monitor）の前段に２×１光スイッチを実装することで、監視ポートを切り替えて各波長の監視を行う。これに対し、ＲＳタイプでは、光伝送装置は、上記各波長の監視に加えて、合波信号の波長監視も行う。このため、ＲＳタイプは、ＢＳタイプと比較して信号ロスが少なく、ＣＤＣ（Colorless  Directionless  Contentionless）機能の実現に有利である。
【０００３】
更に近年では、１つの光伝送システム内に、ＢＳタイプとＲＳタイプとを混在させる構成も提案されている。ＲＳタイプのみの構成では、光伝送装置は、各ポートからの光信号（ＷＤＭ信号）の波長が重なっている場合、光カプラにより単純に合波すると、重なった波長の光信号同士が衝突（同波長衝突）してしまう。その結果、正常な監視ができないことがある。一方、ＢＳタイプとＲＳタイプとを混在させた光伝送システムでは、光伝送装置は、１２×１光スイッチを使用することで、各ポートからの光信号を監視する。これにより、光伝送装置は、各チャネルの光信号を個別に選択しながら監視することができる。従って、同波長衝突による監視不可状態を回避することが可能となる。
【先行技術文献】
【特許文献】
【０００４】
【特許文献１】特開２０１０−２４５９９３号公報
【発明の概要】
【発明が解決しようとする課題】
【０００５】
しかしながら、光伝送装置は、１ポートの光信号を監視するために、該光信号の存在する可能性のある全ての波長帯域（チャネル）をスイープする。このため、例えば、１ポート当たりの監視周期が５００ｍｓである場合、ＢＳタイプでは１ｓ（＝２ポート×５００ｍｓ）、ＲＳタイプでは２ｓ（＝４ポート×５００ｍｓ）で、監視対象の全ポートの監視が完了することとなる。ところが、ＢＳタイプとＲＳタイプとを混在させた光伝送システムでは、監視ポートが例えば１２個に増加するため、監視周期も約６ｓ掛かってしまう。監視周期の長期化は、出力レベル制御の速度を低下させるため、監視対象の増加に伴い、光レベルの過渡応答の抑制が困難となる。この様な問題点は、ＣＤＣ、ＲＯＡＤＭ（Reconfigurable  Optical  Add/Drop  Multiplexer）、Ｆｌｅｘｇｒｉｄ等の新機能を実現する際、ＷＤＭ収容波長数の増加に伴うポート数の更なる増加が予想されること、あるいは更なる監視強化の要望と相俟って、特に顕著となる。
【０００６】
開示の技術は、上記に鑑みてなされたものであって、各ポートの監視周期を短縮することができる光伝送装置、及び光伝送方法を提供することを目的とする。
【課題を解決するための手段】
【０００７】
上述した課題を解決し、目的を達成するために、本願の開示する光伝送装置は、一つの態様において、受信部と分波部と抽出部と複数のスイッチと合波部と監視部と制御部とを有する。前記受信部は、外部から、複数の入力光と前記入力光にそれぞれ含まれる光信号の波長配置情報とを受信する。前記分波部は、前記入力光の内少なくとも１つが、光カプラにより複数の第１信号光に分波されると共に、他の前記入力光が、それぞれ複数の第２信号光に分波される。前記抽出部は、前記各第１信号光の一部と前記各第２信号光の一部とをそれぞれ抽出する。前記複数のスイッチは、前記抽出部により抽出された複数の抽出光に対して、それぞれ通過或いは遮断の切り替えを行う。前記合波部は、前記複数のスイッチからの各通過光を合波し、前記各通過光が合波された合波信号を出力する。前記監視部は、前記合波信号により、各光信号の強度を測定する。前記制御部は、前記波長配置情報に基づいて、波長が重なる複数の前記光信号が含まれない前記入力光の組合せを求めると共に、前記組合せに応じて、前記複数のスイッチを制御する。
【発明の効果】
【０００８】
本願の開示する光伝送装置の一つの態様によれば、各ポートの監視周期を短縮することができる。
【図面の簡単な説明】
【０００９】
【図１】図１は、光伝送装置の構成を示すブロック図である。
【図２】図２は、光伝送装置によるポート監視制御の概要を説明するための図である。
【図３】図３は、ポートの切替え制御により各ポートが周期的に監視される様子を示す図である。
【図４】図４は、実施例１に係る光伝送装置の構成を示すブロック図である。
【図５】図５は、実施例１に係る光伝送システムの構成を示す図である。
【図６】図６は、光伝送装置の動作を説明するためのフローチャートである。
【図７】図７は、光伝送装置のＣＰＵが波長の重ならないポートの組合せを特定して合波する過程を説明するための図である。
【図８】図８は、光伝送装置のＣＰＬＤが合波後のポートを監視する過程を説明するための図である。
【図９】図９は、実施例２に係る光伝送装置の構成を示すブロック図である。
【発明を実施するための形態】
【００１０】
以下に、本願の開示する光伝送装置、及び光伝送方法の実施例を、図面を参照しながら詳細に説明する。なお、以下の実施例により本願の開示する光伝送装置、及び光伝送方法が限定されるものではない。
【００１１】
まず、本願の開示する一実施例に係る光伝送装置の構成を説明する。図１は、光伝送装置１０の構成を示すブロック図である。図１に示す様に、光伝送装置１０は、波長監視部１０ａとクロスコネクト・ＡＤＤ部１０ｂとを有する。波長監視部１０ａは、例えばＯＣＭであり、光信号のピークパワーを波長毎に監視する。波長監視部１０ａは、波長重なり演算部１１とＳＷ（SWitch）制御部１２とモニタ制御部１３と波長モニタ１４と光カプラ１５とオンオフＳＷ１６と波長選択スイッチ１７とを有する。クロスコネクト・ＡＤＤ部１０ｂは、光伝送装置１０の各ポートと波長監視部１０ａとを接続し、波長重なり演算部１１に波長配置情報を転送する。これら各構成部分は、一方向又は双方向に、信号やデータの入出力が可能な様に接続されている。
【００１２】
波長重なり演算部１１は、クロスコネクト・ＡＤＤ部１０ｂから入力された波長配置情報を基に、各ポート間における波長の重なりの有無を演算する。ＳＷ（SWitch）制御部１２は、オンオフＳＷ１６を制御する。モニタ制御部１３は、後段の波長モニタ１４に対し、波長配置の設定を行う。波長モニタ１４は、モニタ制御部１３の設定した波長配置に従い、入力光を波長単位で監視する。光カプラ１５は、オンオフＳＷ１６から入力される各入力信号を合波させる。オンオフＳＷ１６は、ポート毎のオンオフＳＷ１６１〜１６９を有し、上記入力光に対し、上記各入力信号毎にオンオフの切替え制御を行う。波長選択スイッチ１７は、クロスコネクト・ＡＤＤ部１０ｂから各ポートに入力される光（ＷＤＭ信号）から、所望の波長を有する光を選択し、対向ノード２０に出力する。
【００１３】
図２は、光伝送装置１０によるポート監視制御の概要を説明するための図である。ここで、各ポートＰ１〜Ｐ９の波長配置情報が図２に示す状態である場合を例に採り、光伝送装置１０の実行するポート監視制御の概要について説明する。クロスコネクト・ＡＤＤ部１０ｂは、波長選択スイッチ１７に入力される各ポートＰ１〜Ｐ９の波長配置情報を、波長重なり演算部１１に出力する。波長重なり演算部１１は、入力された上記波長配置情報に基づき、各ポートＰ１〜Ｐ９の波長の重なりをチェックする。なお、図２では、ポート数が９の場合を例示するが、他の数値であってもよい。
【００１４】
図２に示す様に、波長重なり演算部１１は、ポートＰ１の短波長側から、ポートＰ１の波長（登録チャネル）と、他のポートＰ２〜Ｐ９の波長との重なりをチェックしていき、全ての波長が重ならないポートの組合せを抽出する。ポートＰ１に関するチェックが終了後、波長重なり演算部１１は、他のポートＰ２〜Ｐ９についても、順次、同様の重なりチェックを実行する。
【００１５】
続いて、波長重なり演算部１１は、波長の重ならないポートの数が最大となる組合せ、換言すれば、最も空白波長が少なく波長を収納可能なポートの組合せを、合波Ｃ１とする。図２では、３つのポートＰ１、Ｐ３、Ｐ５が合波Ｃ１となる。このとき、ポートの最大数が同一となるポートの組合せが複数存在する場合には、波長重なり演算部１１は、ポート番号が小さくなるポートの組合せを優先的に採用する。例えば、最大数“３”つのポートの組合せが、ポートＰ１、Ｐ３、Ｐ５とポートＰ２、Ｐ７、Ｐ８の２つ存在する場合、よりポート番号の小さい３つのポートＰ１、Ｐ３、Ｐ５の組合せが、合波Ｃ１に選択される。
【００１６】
次に、波長重なり演算部１１は、合波Ｃ１に含まれるポートを除外して、上述した処理を再び実行する。すなわち、波長重なり演算部１１は、波長の重ならないポートの数が最大となる組合せを、合波Ｃ２とする。図２では、他の３つのポートＰ２、Ｐ７、Ｐ８が合波Ｃ２となる。波長重なり演算部１１は、波長の重なるポートが無くなるまで、同様の手順を繰り返し実行する。その結果、図２に示す例では、ポートＰ４、Ｐ６が合波Ｃ３となる。
【００１７】
モニタ制御部１３は、算出された３種の波長配置情報が周期的に切り替わる様に、波長モニタ１４に波長配置情報を設定する。ＳＷ制御部１２は、オンオフＳＷ１６を制御し、算出された組合せのポートから出力される光信号を、光カプラ１５により合波させる。例えば、ポートＰ１、Ｐ３、Ｐ５の各光信号の合波は、ポートＰ１、Ｐ３、Ｐ５のスイッチをＯＮ（開放状態）とし、他ポートＰ２、Ｐ４、Ｐ６〜Ｐ８のスイッチをＯＦＦ（遮断状態）とすることにより行われる。
【００１８】
図３は、ポートの切替え制御により各ポートが周期的に監視される様子を示す図である。図３に示す様に、波長モニタ１４は、オンオフＳＷ１６によりＯＮ状態にある各ポートに設定された波長を監視（スキャン）する。例えば、時間Ｔ１、Ｔ４では、ポートＰ１、Ｐ３、Ｐ５がＯＮ状態にあるため、各ポートＰ１、Ｐ３、Ｐ５の光信号の合波である合波Ｃ１が監視対象となる。また、時間Ｔ２、Ｔ５では、ポートＰ２、Ｐ７、Ｐ８がＯＮ状態にあるため、各ポートＰ２、Ｐ７、Ｐ８の光信号の合波Ｃ２が監視される。更に、時間Ｔ３、Ｔ６では、ポートＰ４、Ｐ６がＯＮ状態にあるため、各ポートＰ４、Ｐ６の光信号の合波Ｃ３が監視対象となる。
【００１９】
なお、各合波Ｃ１〜Ｃ３の監視時間Ｔ１〜Ｔ６は、例えば０．５秒ずつである。この場合のポート監視周期Ｔは、監視時間Ｔ１＋Ｔ２＋Ｔ３により、１．５秒となる。
【００２０】
上述した様に、光伝送装置１０は、ポート間で波長が衝突しない様に、全ポートＰ１〜Ｐ９の中から、合波対象となるポートの組合せを決定する。その際、光伝送装置１０は、できる限り多くのポートを１つの合波に纏めることにより、監視対象のポートの数を最小限のポート数まで削減する。例えば、図２に示す例では、合波可能なポートの組合せ数は“３”であるので、波長の無いポート（ポートＰ９）は監視しないものとすると、監視対象のポート数は、９ポートから３ポート（合波Ｃ１〜Ｃ３）に削減される。これにより、各ポートＰ１〜Ｐ９の光信号の監視周期が短縮される。従って、１ポート当たりの監視時間が増加する。その結果、監視精度が向上する。
【実施例１】
【００２１】
以下、図４〜図８を参照し、実施例１に係る光伝送装置１００について説明する。図４は、実施例１に係る光伝送装置１００の構成を示すブロック図である。図４に示す様に、光伝送装置１００は、波長監視部１００ａと各方路ＷＳＳ（Wavelength  Selective  Switch）１００ｂとを有する。波長監視部１００ａは、ＣＰＬＤ（Complex  Programmable  Logic  Device）１１０とＣＰＵ（Central  Processing  Unit）１１１とを有する。ＣＰＬＤ１１０は、ＶＯＡ（Variable  Optical  Attenuator）制御部１１２とＯＣＭ制御部１１３とを有する。波長監視部１００ａは、更に、４ポートＯＣＭ１１４と、２０×１カプラ１１５ａ、１１５ｂと、ＶＯＡ１１６と、ツインＷＳＳ１１７とＰＤ（Photo  Diode）１１８ａ、１１８ｂとを有する。これら各構成部分は、一方向又は双方向に、信号やデータの入出力が可能な様に接続されている。
【００２２】
ＣＰＵ１１１は、制御用ファームにより、各方路（Degree）の波長配置情報を基に、ＣＰＬＤ１１０を制御する。ＣＰＵ１１１は、ＦＰＧＡ（Field  Programmable  Gate  Array）等であってもよい。ＶＯＡ制御部１１２は、ＶＯＡ１１６とのインタフェースである。ＯＣＭ制御部１１３は、４ポートＯＣＭ１１４とのインタフェースである。４ポートＯＣＭ１１４は、各ポートに対して設定された波長を監視する。２０×１カプラ１１５ａ、１１５ｂは、２０ポート分の入力光を合波して出力する。ＶＯＡ１１６は、入力光の出力レベルを、オンオフ制御により減衰させる。ツインＷＳＳ１１７は、１×２０ＷＳＳ１１７ａにより、対向ノード（ＣＮ：Correspondent  Node）２０ａからの入力光（ＷＤＭ信号）から、所望の波長を有する光を選択し、２０×１カプラ１１５ａに出力する。また、ツインＷＳＳ１１７は、２０×１ＷＳＳ１１７ｂにより、対向ノード２０ｂへの出力光（ＷＤＭ信号）の波長を選択し、該波長の光信号を出力する。ＰＤ１１８ａ、１１８ｂは、入力光のトータルパワーを監視する。
【００２３】
上述した様に、光伝送装置１００は、１２方路に対応するため、２０ポートのＷＳＳを有する。また、光伝送装置１００は、ＲＳタイプのため、ＡＤＤ側とＤＲＯＰ側とに、それぞれＷＳＳモジュールを有する。１×２０ＷＳＳ１１７ａは、Ｅ１ＩＮから入力されるＷＤＭ信号を、任意の選択波長により、ＯＵＴポートＰ１１〜Ｐ１２０に出力する。これらのポートは、自ノード（光伝送装置１００）にＤＲＯＰされるか、他方路にハブ接続される。ＩＮポートＰ１１〜Ｐ１２０には、光伝送システムの構成に依存する複数のＡＤＤ入力信号と、他方路からの複数のＴｈｒｏｕｇｈ／ＨＵＢ信号とが入力される。２０×１ＷＳＳ１１７ｂは、該入力信号の中から任意の波長の光信号を選択し、Ｅ１ＯＵＴに出力することで、他ノードに伝送する。
【００２４】
実施例１では、光伝送装置１００による波長監視の対象は、Ｅ１ＩＮ、Ｅ１ＯＵＴ、ＯＵＴポートＰ１１〜Ｐ１２０、ＩＮポートＰ１１〜Ｐ１２０となる。なお、図４では、波長監視部１００ａとして、４ポートスキャンタイプのＯＣＭを例示しているが、１×４ＳＷ＋１ポートＯＣＭによっても代用可能である。
【００２５】
Ｅ１ＩＮ、Ｅ１ＯＵＴのＷＤＭ信号は、合波されることなくスキャンポートに入力される。ＯＵＴポートＰ１１〜Ｐ１２０の各ＷＤＭ信号は、２０×１ＷＳＳ１１７ｂにより、波長選択された信号となり、波長が重なることがないため、２０×１カプラ１１５ｂにより合波された信号が、監視対象となる。また、ＩＮポートＰ１１〜Ｐ１２０については、複数のＡＤＤ信号と、ＲＳタイプからのＴｈｒｏｕｇｈ／ＨＵＢ信号と、ＢＳタイプからのＴｈｒｏｕｇｈ／ＨＵＢ信号とが入力される。
【００２６】
光伝送装置１００は、各ポートＰ１１〜Ｐ１２０において、２０×１カプラ１１５ａ、１１５ｂの前段にＶＯＡ１１６を有する。光伝送装置１００は、各ＩＮポートＰ１１〜Ｐ１２０において、ＶＯＡ制御部１１２により、ＶＯＡ１１６を制御することで、波長の重ならないポートの光信号のみを合波し、監視対象のポートを周期的に切り替えることで、全ポートを監視する。なお、ＶＯＡ１１６は、波長が重なるポートのＷＤＭ信号を合波しないためにのみ使用されるため、単純なメカニカルＯＰＴオンオフ機能を有する装置によって代用可能である。
【００２７】
ここで、図１に示した各構成要素と、実施例１に係る図４の構成要素との対応関係について説明する。図１及び図４において、対応する構成要素には、末尾が同一の参照符号が付されている。すなわち、図１の波長重なり演算部１１は、ＣＰＵ１１１に対応し、ＳＷ制御部１２は、ＶＯＡ制御部１１２に対応する。また、モニタ制御部１３は、ＯＣＭ制御部１１３に対応し、波長モニタ１４は、４ポートＯＣＭ１１４に対応する。更に、光カプラ１５は、２０×１カプラ１１５ａ、１１５ｂに対応し、オンオフＳＷ１６は、ＶＯＡ１１６に対応する。そして、波長選択スイッチ１７は、ツインＷＳＳ１１７に対応する。
【００２８】
図５は、実施例１に係る光伝送システム１の構成を示す図である。図５に示す様に、光伝送システム１では、ＲＳタイプとＢＳタイプとが混在し、図４に示した波長監視部１００ａ以外に、ＢＳタイプ光監視部１００ｃが組み込まれている。波長監視部１００ａについては上述したため、詳細な説明は省略するが、ＢＳタイプ光監視部１００ｃは、ＰＤ１０１ｃと１×９スプリッタ１０２ｃと１×９ＷＳＳ１０３ｃと２×１ＳＷ１０４ｃとＯＣＭ１０５ｃとを有する。ＢＳタイプ光監視部１００ｃは、ＯＣＭ１０５ｃに１ポート入力を採用し、その前段に２×１ＳＷ１０４ｃを実装して入出力を切り替えることで、ＷＤＭ信号のパワーを波長毎に監視する。
【００２９】
次に、動作を説明する。図６は、光伝送装置１００の動作を説明するためのフローチャートである。Ｓ１では、ＣＰＵ１１１は、２０個のポートＰ１１〜Ｐ１２０の中から、ポート番号の昇順にポートを選択する。一巡目では、ポートＰ１１が選択される。Ｓ２では、ＣＰＵ１１１は、波長重なりのチェック対象となるポートを選択する。一巡目では、ポートＰ１２〜Ｐ１２０が順次選択される。Ｓ３では、ＣＰＵ１１１は、Ｓ１で選択されたポートとＳ２で選択されたポートとの間における波長重複の有無を判定する。
【００３０】
上記判定の結果、選択された各ポートの波長が重複する場合（Ｓ３；Ｙｅｓ）には、選択されたポートは、同一の組合せとすることができないため、ＣＰＵ１１１は、チェック対象となるポートを、次のポートに変更する（Ｓ２）。これに対し、上記Ｓ３における判定の結果、選択された各ポートの波長が重複しない場合（Ｓ３；Ｎｏ）には、選択されたポートは、同一の組合せとし得る。このため、ＣＰＵ１１１は、Ｓ２で選択されたポートを、Ｓ１で選択されたポートと同一の合波パターンに組み入れることで、合波パターンを更新する（Ｓ４）。
【００３１】
更新後、ＣＰＵ１１１は、Ｓ１で選択されたポートが最終のポートであるか否かを判定する（Ｓ５）。該判定の結果、Ｓ１で選択されたポートが最終のポート（本実施例ではポートＰ１２０）である場合（Ｓ５；Ｙｅｓ）には、一連の処理を終了するが、最終のポートでない場合（Ｓ５；Ｎｏ）には、Ｓ１に戻り、以降の処理が繰り返し実行される。これにより、光伝送装置１００は、各ポートＰ１１〜Ｐ１２０間で波長が衝突しない範囲内で、極力多数のポートを１つの合波パターンに纏めることができる。その結果、監視対象のポート数は、最少値（本実施例では“４”）まで減少する。
【００３２】
次に、図７及び図８を参照しながら、実施例１に係るポート監視制御方法について、より詳細に説明する。光伝送装置１００のＣＰＵ１１１は、ＯＳＣ（Optical  Supervisory  Channel）回線やＭＡＣ（Media  Access  Control）／ＵＤＰ（User  Datagram  Protocol）フレーム通信を使用して、ＩＮポートＰ１１〜Ｐ１２０における各方路の波長配置情報を取得する。また、ＣＰＵ１１１は、Ｅ１ＩＮ、Ｅ１ＯＵＴ、ＯＵＴポートＰ１１〜Ｐ１２０における自ノード（光伝送装置１００）の波長配置情報を、ＭＡＣ／ＵＤＰフレーム通信により取得する。
【００３３】
ＣＰＵ１１１は、各方路の上記波長配置情報に基づき、各ポート間における重なりをチェックする。図７は、光伝送装置１００のＣＰＵ１１１が波長の重ならないポートの組合せを特定して合波する過程を説明するための図である。図７では、ｘ軸に周波数ｆが規定され、ｙ軸にポートが規定されている。まず、ＣＰＵ１１１は、ポートＰ１１の短波長側から、登録波長（チャネル）の重なりをチェックしていき、全ての波長が重なっていないポートを特定する。ＣＰＵ１１１は、他のポートＰ１２〜Ｐ１２０についても同様の処理を行い、波長重なりチェックにより、波長の重なっていないポートを特定する。ＣＰＵ１１１は、波長の重ならないポートが最大数となるポートの組合せを合波Ｃ１１とする。本実施例では、ポートＰ１１、Ｐ１３、Ｐ１５、Ｐ１１５、Ｐ１１９が、合波Ｃ１１を構成するポートの組合せとなる。なお、最大数となるポートの組合せが複数存在する場合には、例えば、よりポート番号の少ない組合せが選択される。
【００３４】
合波Ｃ１１におけるポートの組合せが決定すると、ＣＰＵ１１１は、合波Ｃ１１を構成するポート群（本実施例では、ポートＰ１１、Ｐ１３、Ｐ１５、Ｐ１１５、Ｐ１１９）を除外して、再度、波長の重ならないポートが最大数となるポートの組合せを探索する。該探索の結果、本実施例では、ポートＰ１２、Ｐ１７、Ｐ１８、Ｐ１１４が、合波Ｃ１２を構成するポートの組合せとして決定される。ＣＰＵ１１１は、残りのポートに対しても、同様の手順で、波長の重なりチェックを行っていき、波長の重なるポートが無くなった時点で、合波可能なポートの組合せを確定する。
【００３５】
本実施例では、上記ポートＰ１１、Ｐ１３、Ｐ１５、Ｐ１１５、Ｐ１１９、上記ポートＰ１２、Ｐ１７、Ｐ１８、Ｐ１１４の他に、ポートＰ１４、Ｐ１６、Ｐ１１３、Ｐ１１８と、ポートＰ１１０、１１１とが、合波可能なポートの組合せとして、選択される。その結果、ポートの組合せ数は、合波Ｃ１１〜Ｃ１４の４つとなる。また、各ポートＰ１１２、Ｐ１１７、Ｐ１２０が、組合せ相手の存在しないポート（単独波長のポート）となる。従って、４ポートＯＣＭ１１４が、波長の存在しないポートＰ１９、Ｐ１１６に対する監視を行わないとすると、監視対象のポート数は、従来の２０ポートから７ポートに削減される。
【００３６】
図８は、光伝送装置１００のＣＰＬＤ１１０が合波後のポートを監視する過程を説明するための図である。まず、光伝送装置１００のＣＰＬＤ１１０は、４ポートＯＣＭ１１４に、各スキャンポートの波長配置情報を設定する。すなわち、ＣＰＬＤ１１０は、図８に示す様に、スキャンポートＳＰ１に対し、ポートＰ１１〜Ｐ１２０に出力されるＷＳＳ信号の波長配置情報として、“Ｐ１１〜Ｐ１２０  ＯＵＴ”を設定する。また、ＣＰＬＤ１１０は、スキャンポートＳＰ２に対し、上述の処理で決定された７種類の波長配置情報（合波Ｃ１１〜Ｃ１４、ポートＰ１２、Ｐ１７、Ｐ２０）を、所定周期で切替え可能な様に設定する。更に、ＣＰＬＤ１１０は、スキャンポートＳＰ３に対し、Ｅ１に入力されるＷＳＳ信号の波長配置情報として、“Ｅ１ＩＮ−ＷＳＳ”を設定し、スキャンポートＳＰ４に対し、Ｅ１に出力されるＷＳＳ信号の波長配置情報として、“ＷＳＳ−Ｅ１ＯＵＴ”を設定する。
【００３７】
次に、光伝送装置１００のＶＯＡ制御部１１２は、ＶＯＡ１１６を制御して、上述の処理で決定された組合せのポートの光信号を、２０×１カプラ１１５ａ、１１５ｂにより合波させる。例えば、図８に示す様に、ＶＯＡ制御部１１２は、ポートＰ１１、Ｐ１３、Ｐ１５、Ｐ１１５、Ｐ１１９のＶＯＡ１１６を開放すると共に、他のポートを絞ったままとする。これにより、合波Ｃ１１が生成される。同様に、ＶＯＡ制御部１１２は、ポートＰ１２、Ｐ１７、Ｐ１８、Ｐ１１４のＶＯＡ１１６を開放すると共に、他のポートを遮断することで、合波Ｃ１２を生成する。
【００３８】
４ポートＯＣＭ１１４は、各スキャンポートＳＰ１〜ＳＰ４において波長配置設定された波長のみを監視（スキャン）する。スキャンポートＳＰ１〜ＳＰ４の内、スキャンポートＳＰ２で取得されたモニタ値は、各ポートＰ１１〜Ｐ１２０の波長配置情報から再振分けを実施することにより、波長監視結果として使用される。取得されたモニタ値は、例えば、光信号が正常に入力されているか否か（例えば、誤接続等による入力漏れが無いか）の確認、あるいは、チルト補正のためのプリエンファシス制御に利用される。以下、プリエンファシス制御について説明する。光伝送装置は、波長毎に異なる伝送先に光信号を送信することができるが、光信号の伝送経路によっては、中継回数や伝送距離が異なることがある。この場合、波長間におけるパワーレベルのばらつき（以下、「チルト」と記す。）が発生することとなる。その結果、受信側の光伝送装置において、チルトが、受信可能な光信号の出力レベルの範囲（ダイナミックレンジ）に収まらないことがある。ダイナミックレンジ外のパワーレベルの光信号は、受信不能な波長の光信号であることから、パケットロス等の要因となる。そこで、光伝送装置は、チルトを低減するため、光信号を送信する際、該光信号のパワーレベルを波長毎にモニタリングし、プリエンファシス制御により、パワーレベルの均等化を図る。すなわち、光伝送装置は、取得されたモニタ値を用いて上記チルトを補正することにより、出力パワーレベルを調整する。
【００３９】
以上説明した様に、光伝送装置１００は、各方路ＷＳＳ１００ｂと４ポートＯＣＭ１１４とＣＰＵ１１１とＶＯＡ１１６と２０×１カプラ１１５ａ、１１５ｂとを有する。各方路ＷＳＳ１００ｂは、他の光伝送装置２０ａ、２０ｂとの間で入出力（入力はＤＲＯＰ信号、出力はＡＤＤ信号）される光信号（ＷＤＭ信号）の波長を切り替えると共に、上記光信号を上記波長毎に入力する複数のポートＰ１１〜Ｐ１２０を有する。４ポートＯＣＭ１１４は、各方路ＷＳＳ１００ｂにより切り替えられる各波長の光信号を監視する。ＣＰＵ１１１は、４ポートＯＣＭ１１４による監視結果に基づき、複数のポートＰ１１〜Ｐ１２０の中から、相互に波長の重ならないポートの組合せを算出する。ＶＯＡ１１６は、ＣＰＵ１１１により算出された組合せのポートに入力される光信号を出力（通過）させると共に、上記組合せ以外のポートに入力される光信号を遮断する制御を行う。２０×１カプラ１１５ａ、１１５ｂは、ＶＯＡ１１６による制御に従い上記組合せのポートから出力される光信号を入力し、該光信号を合波すると共に、合波後の光信号を４ポートＯＣＭ１１４に出力する。
【００４０】
換言すれば、光伝送装置１００は、ＰＤ１１８ａ、１１８ｂとＷＳＳ１１７ａ、１１７ｂとＣＰＵ１１１とＶＯＡ１１６と２０×１カプラ１１５ｂと４ポートＯＣＭ１１４とＶＯＡ制御部１１２とを有する。ＰＤ１１８ａ、１１８ｂは、外部から、複数の入力光と入力光にそれぞれ含まれる光信号の波長配置情報とを受信する。１×２０ＷＳＳ１１７ａ、２０×１ＷＳＳ１１７ｂは、入力光の内少なくとも１つが、２０×１カプラ１１５ａにより複数の第１信号光に分波されると共に、他の入力光が、それぞれ複数の第２信号光に分波される。ＣＰＵ１１１は、各第１信号光の一部と各第２信号光の一部とをそれぞれ抽出する。ＶＯＡ１１６は、抽出された複数の抽出光に対して、それぞれ通過或いは遮断の切り替えを行う。２０×１カプラ１１５ｂは、ＶＯＡ１１６からの各通過光を合波し、各通過光が合波された合波信号を出力する。４ポートＯＣＭ１１４は、合波信号により、各光信号の強度を測定する。ＶＯＡ制御部１１２は、波長配置情報に基づいて、波長が重なる複数の光信号が含まれない入力光の組合せを求めると共に、組合せに応じて、ＶＯＡ１１６を制御する。
【００４１】
より具体的には、光伝送装置１００は、１又は複数の第１のポートと、１又は複数の第２のポートと、第３のポートとを有する。上記１又は複数の第１のポートは、外部から波長多重された第１の入力光と、上記第１の入力光に含まれる光信号の波長配置情報とを受信し、受信した上記第１の入力光を波長毎に分波すると共に、分波された複数の第１信号光を出力する。上記１又は複数の第２のポートは、外部から波長多重された第２の入力光と、上記第２の入力光に含まれる光信号の波長配置情報とを受信し、受信した上記第２の入力光を光カプラにより分波すると共に、分波された複数の第２信号光を出力する。上記第３のポートは、１又は複数の上記第１信号光と１又は複数の上記第２信号光とを受信し、上記第１信号光及び上記第２信号光に含まれる光信号のうち、全部或いは一部の光信号を外部へ送信する。上記第３のポートは、１又は複数の１×２０ＷＳＳ１１７ａと、１又は複数の２０×１ＷＳＳ１１７ｂと、２０×１カプラ１１５ｂと、４ポートＯＣＭ１１４と、ＶＯＡ制御部１１２とを有する。１又は複数の１×２０ＷＳＳ１１７ａは、上記第１信号光の一部が抽出された第１抽出光が入力され、上記第１抽出光に対して通過或いは遮断を切り換える。１又は複数の２０×１ＷＳＳ１１７ｂは、上記第２信号光の一部が抽出された第２抽出光が入力され、上記第２抽出光に対して通過或いは遮断を切り換える。２０×１カプラ１１５ｂは、１×２０ＷＳＳ１１７ａから出力された１又は複数の第１通過光と、２０×１ＷＳＳ１１７ｂから出力された１又は複数の第２通過光とを合波し、合波された合波信号を出力する。４ポートＯＣＭ１１４は、上記合波信号により、各光信号の強度を測定する。ＶＯＡ制御部１１２は、複数の上記波長配置情報に基づいて、上記第１信号光及び上記第２信号光の全組合せのうち、波長が重なる複数の上記光信号が含まれる組合せを除いた非多重組合せを求めると共に、上記非多重組合せに応じて、１×２０ＷＳＳ１１７ａ及び２０×１ＷＳＳ１１７ｂを制御する。
【００４２】
上述した構成により、光伝送装置１００は、合波により監視対象を削減し、監視周期を短縮することができる。その結果、出力レベル制御の速度が向上し、光レベルの過渡応答の抑制が容易に実現可能となる。効果は、入力される光信号の波長に依存して異なるが、ＯＣＭのスキャン時間を５００ｍｓとすると、本実施例に係る光伝送装置１００は、監視周期を、約１０秒から最大で約５００ｍｓまで短縮することができる。また、光伝送装置１００は、システム仕様として、５００ｍｓ〜１０秒の範囲内で、監視周期（例えば、２秒）を設定し、該周期に合わせたシステム構成を採るものとしてもよい。
【００４３】
また、光伝送装置１００において、ＣＰＵ１１１は、各方路ＷＳＳ１００ｂの有する各ポートＰ１１〜Ｐ１２０に対し、上記光信号の波長の内、何れの波長が配置されているかを上記ポート毎に示す波長配置情報を用いて、上記ポートの組合せを算出するものとしてもよい。これにより、光伝送装置１００は、上記ＯＳＣ回線やユニット間通信により、各方路（ポート）の他の光伝送装置２０ａ、２０ｂから波長配置情報を取得する。従って、光伝送装置１００のＣＰＵ１１１は、４ポートＯＣＭ１１４とＶＯＡ１１６とに対し、最適な監視制御を実現することができる。
【００４４】
更に、光伝送装置１００において、ＶＯＡ１１６は、２０×１カプラ１１５ａ、１１５ｂによる合波の対象となる光信号を出力するポートの組合せ（合波パターンＣ１１〜Ｃ１４）を、周期的に切り替える制御を行うものとしてもよい。これにより、各方路ＷＳＳ１００ｂの有する全てのポートに対する監視が可能となる。
【実施例２】
【００４５】
次に、図９を参照し、実施例２について説明する。図９は、実施例２に係る光伝送装置２００の構成を示すブロック図である。図９に示す様に、実施例２に係る光伝送装置２００は、１×９スプリッタ２１７ａと３×１ＳＷ２１９とを有する点を除き、図４に示した実施例１に係る光伝送装置２００と同様の構成を有する。従って、実施例２では、実施例１と共通する構成要素には、末尾が同一の参照符号を用いると共に、その図示及び詳細な説明は省略する。
【００４６】
実施例２が実施例１と異なる点は、ＷＤＭの光伝送システムの構成である。具体的には、実施例１では、ＢＳタイプとＲＳタイプとが混在する光伝送システムとして、既存のＲＳタイプにＢＳタイプを適用する場合について説明した。実施例２では、実施例１とは反対に、既存のＢＳタイプにＲＳタイプが適用された光伝送システムを例に採り、実施例１との相違点を中心として説明する。
【００４７】
ＯＣＭ２１４は、実施例１に係る４ポートＯＣＭ１１４に対応するが、１ポートタイプのＯＣＭモジュールであり、１つのポートに対して設定された波長を監視する。３×１ＳＷ２１９は、監視対象ポートの信号を順次切り替えて、ＯＣＭ２１４に入力する。１×９スプリッタ２１７ａは、ＰＤ２１８ａから入力されたＷＤＭ信号を分波する光分波器である。
【００４８】
図９に示す様に、本実施例に係る光伝送装置２００は、ＢＳタイプのため、ＡＤＤ側に９×１ＷＳＳ２１７ｂを、ＤＲＯＰ側に１×９スプリッタ２１７ａを有する。１×９スプリッタ２１７ａは、Ｅ１ＩＮから入力されるＷＤＭ信号を分波し、ＯＵＴポートＰ２１〜Ｐ２９に出力する。これらのポートは、自ノード（光伝送装置２００）にＤＲＯＰされるか、他方路にハブ接続される。ＩＮポートＰ２１〜Ｐ２９には、光伝送システムの構成に依存する複数のＡＤＤ入力信号と、他方路からの複数のＴｈｒｏｕｇｈ／ＨＵＢ信号とが入力される。９×１ＷＳＳ２１７ｂは、該入力信号の中から任意の波長の光信号を選択し、Ｅ１ＯＵＴに出力することで、他ノードに伝送する。
【００４９】
実施例２では、光伝送装置２００による波長監視の対象は、Ｅ１ＩＮ、Ｅ１ＯＵＴ、ＩＮポートＰ２１〜Ｐ２９となる。なお、ＯＵＴポートＰ２１〜Ｐ２９は、Ｅ１ＩＮから入力されるＷＤＭ信号を分波するのみであるため、本実施例では、監視対象外となる。Ｅ１ＩＮ、Ｅ１ＯＵＴのＷＤＭ信号は、合波されることなくスキャンポートに入力される。ＩＮポートＰ２１〜Ｐ２９については、複数のＡＤＤ信号と、ＲＳタイプからのＴｈｒｏｕｇｈ／ＨＵＢ信号と、ＢＳタイプからのＴｈｒｏｕｇｈ／ＨＵＢ信号とが入力される。
【００５０】
光伝送装置２００は、各ポートＰ２１〜Ｐ２９において、９×１カプラ２１５ｂの前段にＶＯＡ２１６を有する。光伝送装置２００は、各ＩＮポートＰ２１〜Ｐ２９において、ＶＯＡ制御部２１２により、ＶＯＡ２１６を制御することで、波長の重ならないポートの光信号のみを合波し、監視対象のポートを周期的に切り替えることで、全ポートを監視する。なお、ＶＯＡ２１６は、波長が重なるポートのＷＤＭ信号を合波しないためにのみ使用されるため、単純なメカニカルＯＰＴオンオフ機能を有する装置によって代用可能である。
【００５１】
具体的なポート監視制御方法等、他の動作については、実施例１に係る光伝送装置１００の動作と同様であるので、その図示及び説明は省略する。
【００５２】
実施例２に係る光伝送装置２００によれば、従来のＢＳタイプのシステム構成では実現困難であったＩＮポート（ネットワーク側方向）の監視が可能となる。これにより、光伝送装置２００は、誤接続の監視を強化することができる。その結果、光伝送システムの信頼性が向上する。
【００５３】
なお、上記各実施例では、メッシュ型のＷＤＭ光伝送システムを想定して説明したが、各ＯＸＣの接続形態は、メッシュ型に限らず、例えば、ツリー型、スター型等であってもよい。また、各ＯＸＣの最大方路（Degree）数についても、８に限らず、９以上であってもよい。更に、上記各実施例では、光伝送装置全体のポート数は、実施例１では“２０”、実施例２では“９”としたが、他の数値であってもよい。各合波パターンへの合波対象のポート数（例えば、合波Ｃ１１では５ポート）、あるいは、単独波長のポート数（例えば、実施例１では３ポート）についても、装置全体のポート数を上限として、任意の値を採ることができる。
【符号の説明】
【００５４】
１  光伝送システム
１０  光伝送装置
１０ａ  波長監視部
１０ｂ  クロスコネクト・ＡＤＤ部
１１  波長重なり演算部
１２  ＳＷ（SWitch）制御部
１３  モニタ制御部
１４  波長モニタ
１５  光カプラ
１６  オンオフＳＷ
１７  波長選択スイッチ
２０  対向ノード
２０ａ、２０ｂ、３０ａ、３０ｂ  ＣＮ（Correspondent  Node）
１００、２００  光伝送装置
１００ａ、２００ａ  波長監視部
１００ｂ、２００ｂ  各方路ＷＳＳ（Wavelength  Selective  Switch）
１００ｃ  ＢＳタイプ光監視部
１０１ｃ  ＰＤ
１０２ｃ  １×９スプリッタ
１０３ｃ  １×９ＷＳＳ
１０４ｃ  ２×１ＳＷ
１０５ｃ  ＯＣＭ
１１０、２１０  ＣＰＬＤ（Complex  Programmable  Logic  Device）
１１１、２１１  ＣＰＵ（Central  Processing  Unit）
１１２、２１２  ＶＯＡ（Variable  Optical  Attenuator）制御部
１１３、２１３  ＯＣＭ（Optical  Channel  Monitor）制御部
１１４  ４ポートＯＣＭ
１１５ａ、１１５ｂ  ２０×１カプラ
１１６、２１６  ＶＯＡ
１１７  ツインＷＳＳ
１１７ａ  １×２０ＷＳＳ
１１７ｂ  ２０×１ＷＳＳ
１１８ａ、１１８ｂ、２１８ａ、２１８ｂ  ＰＤ（Photo  Diode）
１６１、１６２、１６３、１６４、１６５、１６６、１６７、１６８、１６９  オンオフＳＷ
２１４  ＯＣＭ
２１５ｂ  ９×１カプラ
２１７ａ  １×９スプリッタ
２１７ｂ  ９×１ＷＳＳ
２１９  ３×１ＳＷ
Ｂ  バックボード
Ｃ１〜Ｃ３、Ｃ１１〜Ｃ１４  合波
ｆ  周波数
Ｐ、Ｐ１〜Ｐ９、Ｐ１１〜Ｐ１２０、Ｐ２１〜Ｐ２９  ポート
ＳＰ１〜ＳＰ４  スキャンポート
ｔ  時間
Ｔ  ポート監視周期
Ｔ１〜Ｔ６  １周期における各合波の監視時間
【図１】
2015050664.tif 000003
【図２】
2015050664.tif 000004
【図３】
2015050664.tif 000005
【図４】
2015050664.tif 000006
【図５】
2015050664.tif 000007
【図６】
2015050664.tif 000008
【図７】
2015050664.tif 000009
【図８】
2015050664.tif 000010
【図９】
2015050664.tif 000011